(57)【要約】ケーシングアセンブリ（１００）及びそれを有する空気調和機の室内機（１０００）であって、ケーシングアセンブリ（１００）は、前吹出口（１１１）が設けられているフレーム（１）と、フレーム（１）の左端と右端にそれぞれ設けられている２つのエンドカバー（２）を含み、少なくとも１つのエンドカバー（２）の一部は、フレーム（１）の前表面の前側に位置し、かつフレーム（１）とともに補助吹出通路（ａ）を画定し、少なくとも１つのエンドカバー（２）には、補助吹出通路（ａ）と連通する側部吹出口（２１）が設けられ、補助吹出通路（ａ）の内側壁のフレーム（１）により画定される部分が、ガイド面（１１２）を形成して前吹出口（１１１）から吹き出された風を側部吹出口（２１）に導く。【選択図】図２
2020517892.tif 000002
【特許請求の範囲】
【請求項１】
前吹出口が設けられているフレームと、
２つのエンドカバーとを含み、
前記２つのエンドカバーは、それぞれ前記フレームの左端と右端に設けられ、少なくとも１つの前記エンドカバーの一部は、前記フレームの前表面の前側に位置し、かつ前記フレームとともに補助吹出通路を画定し、前記少なくとも１つのエンドカバーには、前記補助吹出通路と連通する側部吹出口が設けられ、
前記補助吹出通路の内側壁の、前記フレームにより画定された部分がガイド面を形成して、前記前吹出口から吹き出された風を前記側部吹出口に導く、
ことを特徴とする空気調和機の室内機のケーシングアセンブリ。
【請求項２】
２つの前記エンドカバーの一部は、それぞれ前記フレームの前表面の前側に位置し、かつそれぞれ前記フレームとともに前記補助吹出通路を画定し、各前記エンドカバーには、対応する前記補助吹出通路に対応して連通する前記側部吹出口が設けられ、各前記補助吹出通路の内側壁の、前記フレームにより画定された部分が、いずれも前記ガイド面を形成する、
ことを特徴とする請求項１に記載の空気調和機の室内機のケーシングアセンブリ。
【請求項３】
前記フレームは、フロントフレーム部と２つのサイドフレーム部を含み、前記フロントフレーム部には、前記前吹出口が設けられ、２つの前記サイドフレーム部は、それぞれ前記フロントフレーム部の左端と右端に設けられ、かつそれぞれ後方に延在し、前記フロントフレーム部の前表面の、前記前吹出口の左右両端に位置する部分には、それぞれ前記ガイド面が設けられ、前記ガイド面は、前記前吹出口から離れる方向に傾斜して後方に延在し、各前記ガイド面は、対応する前記サイドフレーム部まで延在し、
２つの前記エンドカバーは、２つの前記サイドフレーム部とそれぞれ一対一に対応し、かつ対応する前記サイドフレーム部の前記フロントフレーム部から離れた側にそれぞれ位置し、各前記エンドカバーには、前延伸部を有し、前記前延伸部は、対応する前記ガイド面の前側に位置し、かつ前記ガイド面とともに前記補助吹出通路を画定する、
ことを特徴とする請求項２に記載の空気調和機の室内機のケーシングアセンブリ。
【請求項４】
前記ガイド面の前記前吹出口に近接する一端は、前記前吹出口の側壁まで延在する、
ことを特徴とする請求項３に記載の空気調和機の室内機のケーシングアセンブリ。
【請求項５】
各前記ガイド面の上下両側には、それぞれガイド溝が設けられ、各前記ガイド溝は、左右方向に沿って延在し、各前記ガイド溝の前記前吹出口から離れた一端は開放し、各前記前延伸部には、前記ガイド溝と嵌合するガイド突起が設けられている、
ことを特徴とする請求項３又は４に記載の空気調和機の室内機のケーシングアセンブリ。
【請求項６】
少なくとも１つの前記ガイド溝の前記一端の内底壁には、ガイド斜面が形成され、前記ガイド斜面は、前記前吹出口から離れる方向に傾斜して後方に延在することを特徴とする請求項５に記載の空気調和機の室内機のケーシングアセンブリ。
【請求項７】
前記ガイド面は、平面又は円弧面として形成される、
ことを特徴とする請求項１〜６のいずれか一項に記載の空気調和機の室内機のケーシングアセンブリ。
【請求項８】
前記フレームと前記エンドカバーとの一方には、係合フックが設けられ、前記フレームと前記エンドカバーとの他方には、前記係合フックと嵌合する係合溝が設けられている、
ことを特徴とする請求項１〜７のいずれか一項に記載の空気調和機の室内機のケーシングアセンブリ。
【請求項９】
前記係合フックは、複数であり、
前記係合溝は、複数であり、かつ複数の前記係合フックと一対一に対応している、
ことを特徴とする請求項８に記載の空気調和機の室内機のケーシングアセンブリ。
【請求項１０】
空気調和機の室内機であって、
請求項１〜９のいずれか一項に記載の空気調和機の室内機のケーシングアセンブリを含む、
ことを特徴とする空気調和機の室内機。
【発明の詳細な説明】
【技術分野】
【０００１】
本出願は、出願番号が２０１８２０１８１６７７．３であり、出願日が２０１８年１月３１日である中国特許出願に基づいて提案されるものであり、且つ該中国特許出願の優先権を主張する。該中国特許出願のすべての内容は、参照として本出願に組み込まれる。
【０００２】
本出願は、冷凍分野に関し、特に空気調和機の室内機のケーシングアセンブリ及びそれを有する空気調和機の室内機に関する。
【背景技術】
【０００３】
関連技術において、空気調和機の室内機のケーシングアセンブリは、主に空気調和機の室内機の前端に空気を吹き出し、ケーシングアセンブリの側部吹出口の送風量が少ないので、ケーシングアセンブリの送風効率に影響を及ぼす。
【発明の概要】
【発明が解決しようとする課題】
【０００４】
本出願は、先行技術に存在する技術的問題の少なくとも１つを解決することを目的とする。このため、本出願は、側部吹出口の送風量を増大させ、送風効率を向上させることが可能な空気調和機の室内機のケーシングアセンブリを提案する。
【０００５】
本出願は、上記ケーシングアセンブリを含む空気調和機の室内機をさらに提案する。
【課題を解決するための手段】
【０００６】
本出願の実施例に係るケーシングアセンブリは、フレームと、２つのエンドカバーとを含み、前記フレームに前吹出口が設けられ、前記２つのエンドカバーは、それぞれ前記フレームの左端と右端に設けられ、少なくとも１つの前記エンドカバーの一部は、前記フレームの前表面の前側に位置し、かつ前記フレームとともに補助吹出通路を画定し、前記少なくとも１つのエンドカバーには、前記補助吹出通路と連通する側部吹出口が設けられ、前記補助吹出通路の内側壁の、前記フレームにより画定された部分がガイド面を形成して、前記前吹出口から吹き出された風を前記側部吹出口に導く。
【０００７】
本出願の実施例に係る空気調和機の室内機のケーシングアセンブリは、少なくとも１つのエンドカバーの一部をフレームの前表面の前側に位置させ且つ該一部がフレームとともに補助吹出通路を画定し、且つ補助吹出通路の内側壁の、フレームにより画定された部分がガイド面を形成して前吹出口から吹き出された風を側部吹出口に導くことにより、側部吹出口の送風量を増大させ、ケーシングアセンブリの側部吹出口の送風効率を向上させることができる。
【０００８】
本出願のいくつかの実施例によれば、２つの前記エンドカバーの一部は、それぞれ前記フレームの前表面の前側に位置し、かつそれぞれ前記フレームとともに前記補助吹出通路を画定し、各前記エンドカバーには、対応する前記補助吹出通路に対応して連通する前記側部吹出口が設けられ、各前記補助吹出通路の内側壁の、前記フレームにより画定された部分が、いずれも前記ガイド面を形成する。
【０００９】
さらに、前記フレームは、フロントフレーム部と２つのサイドフレーム部を含み、前記フロントフレーム部には、前記前吹出口が設けられ、２つの前記サイドフレーム部は、それぞれ前記フロントフレーム部の左端と右端に設けられ、かつそれぞれ後方に延在し、前記フロントフレーム部の前表面の、前記前吹出口の左右両端に位置する部分には、それぞれ前記ガイド面が設けられ、前記ガイド面は、前記前吹出口から離れる方向に傾斜して後方に延在し、各前記ガイド面は、対応する前記サイドフレーム部まで延在し、２つの前記エンドカバーは、２つの前記サイドフレーム部とそれぞれ一対一に対応し、かつそれぞれ対応する前記サイドフレーム部の前記フロントフレーム部から離れた側に位置し、各前記エンドカバーには、前延伸部を有し、前記前延伸部は、対応する前記ガイド面の前側に位置し、かつ前記ガイド面とともに前記補助吹出通路を画定する。
【００１０】
具体的には、前記ガイド面の前記前吹出口に近接する一端は、前記前吹出口の側壁まで延在する。
【００１１】
具体的には、各前記ガイド面の上下両側には、それぞれガイド溝が設けられ、各前記ガイド溝は、左右方向に沿って延在し、各前記ガイド溝の前記前吹出口から離れた一端は開放し、各前記前延伸部には、前記ガイド溝と嵌合するガイド突起が設けられている。
【００１２】
さらに、少なくとも１つの前記ガイド溝の前記一端の内底壁には、ガイド斜面が形成され、前記ガイド斜面は、前記前吹出口から離れる方向に傾斜して後方に延在する。
【００１３】
本出願のいくつかの実施例によれば、前記ガイド面は、平面又は円弧面として形成される。
【００１４】
本出願のいくつかの実施例によれば、前記フレームと前記エンドカバーとの一方には、係合フックが設けられ、前記フレームと前記エンドカバーとの他方には、前記係合フックと嵌合する係合溝が設けられている。
【００１５】
さらに、前記係合フックは、複数であり、前記係合溝は、複数であり、かつ複数の前記係合フックと一対一に対応している。
【００１６】
本出願の実施例に係る空気調和機の室内機は、上記ケーシングアセンブリを含む。
【発明の効果】
【００１７】
本出願の実施例に係る空気調和機の室内機には、本出願の上記実施例に係るケーシングアセンブリが設けられることにより、空気調和機の室内機の送風量を増大させ、空気調和機の室内機の送風効率を向上させることができる。
【図面の簡単な説明】
【００１８】
本出願の追加の態様及び利点は、以下の説明に部分的に記載され、一部は、以下の説明から明らかになり、又は本出願の実践により理解される。
【００１９】
本出願の上記及び／又は追加の態様及び利点は、以下の図面を参照して実施例を説明することから明らかになり、容易に理解される。
【００２０】
【図１】本出願の実施例に係る空気調和機の室内機の模式図である。
【図２】本出願の実施例に係るフレームの模式図である。
【図３】図２におけるＡの部分拡大図である。
【図４】本出願の実施例に係るエンドカバーの模式図である。
【図５】本出願の実施例に係るケーシングアセンブリの部分断面図である。
【発明を実施するための形態】
【００２１】
以下、本出願の実施例について詳細に説明し、前記実施例の例は、添付の図面に示されている。ここで、最初から最後まで同じ又は類似の符号は、同じ又は類似の素子、又は同じ又は類似の機能を有する素子を示す。以下で添付の図面を参照して説明する実施例は、例示的なものであり、本出願を解釈することにのみ用いられるものであり、本出願を限定するものとして理解されるべきではない。
【００２２】
本出願の説明において、用語「上」、「下」、「前」、「後」、「左」、「右」、「垂直」、「水平」、「頂」、「底」、「内」、「外」などが指示する方位又は位置関係は、図面に示すのに基づく方位又は位置関係であり、本出願の説明及び説明の簡略化を容易にするためだけであり、示された装置又は素子が特定の方位を有しなければならないこと、及び特定の方位で構築及び操作さなければならないことを指示したり、暗示したりするものではないので、本出願を限定するものと理解されるべきではない。そのほか、「第１」、「第２」が定義される特徴は、１つ以上の該特徴を明示的又は暗黙的に含むことができる。本出願の説明において、「複数」は、特に説明しない限り、２つ以上を意味する。
【００２３】
本出願の説明において、なお、特に明確に規定及び定義されていない限り、用語「取り付け」、「繋がり」、「接続」は、広義に理解されるべきである。例えば、固定接続であってもよいし、取り外し可能な接続又は一体的な接続であってもよい；機械的接続であってもよいし、電気的接続であってもよい；直接的な繋がりであってもよいし、中間媒体を介した間接的な繋がりであってもよいし、２つの素子間の内部連通であってもよい。当業者であれば、具体的な状況に基づいて本出願における上記用語の具体的な意味を理解できる。
【００２４】
以下、本出願の実施例に係る空気調和機の室内機１０００のケーシングアセンブリ１００について、図１〜図５を参照して説明する。
【００２５】
図１〜図５に示すように、本出願の実施例に係るケーシングアセンブリ１００は、フレーム１と２つのエンドカバー２を含む。
【００２６】
具体的には、フレーム１には、前吹出口１１１が設けられている。２つのエンドカバー２は、フレーム１の左端と右端にそれぞれ設けられ、少なくとも１つのエンドカバー２の一部は、フレーム１の前表面の前側に位置し、かつフレーム１とともに補助吹出通路ａを画定し、少なくとも１つのエンドカバー２には、補助吹出通路ａと連通する側部吹出口２１が設けられている。すなわち、空気調和機の室内機１０００で生成された風は、前吹出口１１１を介して送風することができ、補助吹出通路ａを介して側部吹出口２１に流れることにより送風することもできるので、ケーシングアセンブリ１００の送風可能な範囲を拡大する。
【００２７】
本出願の実施例のケーシングアセンブリ１００において、その中の１つのエンドカバー２の一部は、フレーム１の前表面の前側に位置し、かつフレーム１とともに補助吹出通路ａを画定することができる。このとき、空気調和機の室内機１０００で生成された風は、補助吹出通路ａに沿って側部吹出口２１に流れることによりケーシングアセンブリ１００の左端に送風され、又はケーシングアセンブリ１００の右端に送風されることができる。２つのエンドカバー２の一部は、フレーム１の前表面の前側に位置し、かつそれぞれフレーム１とともに補助吹出通路ａを画定することも可能である。このとき、空気調和機の室内機１０００で生成された風は、それぞれ２つの補助吹出通路ａに沿って２つの側部吹出口２１に流れることによりケーシングアセンブリ１００の左端と右端に送風されることができる。
【００２８】
補助吹出通路ａの内側壁の、フレーム１により画定された部分がガイド面１１２を形成することにより、前吹出口１１１から吹き出された風は、側部吹出口２１に導かれる。空気調和機の室内機１０００の前吹出口１１１には、エアデフレクタが設けられているので、エアデフレクタが開かれていると、空気調和機の室内機１０００で生成された風は、主に前吹出口１１１を介して直接吹き出され、風のほんの一部のみが、補助吹出通路ａを介して側部吹出口２１に流れて吹き出されることが理解され得る。エアデフレクタが閉じられていると、空気調和機の室内機１０００で生成された風の大部分は、前吹出口１１１に流れた後、補助吹出通路ａに沿って側部吹出口２１に流れて吹き出される。（図５のうちの単方向矢印は、風の流れ方向を示している。）
【００２９】
ガイド面１１２は導風作用を有することが知られているので、ガイド面１１２の設置は、側部吹出口２１に流れる風量をある程度まで増大させることができ、さらに側部吹出口２１の送風量を増大させ、ケーシングアセンブリ１００の側部吹出口２１の送風効率を向上させることができる。
【００３０】
本出願の実施例に係る空気調和機の室内機１０００のケーシングアセンブリ１００は、少なくとも１つのエンドカバー２の一部がフレーム１の前表面の前側に位置し、且つ該一部がフレーム１とともに補助吹出通路ａを画定し、且つ補助吹出通路ａの内側壁の、フレーム１により画定された部分がガイド面１１２を形成することにより、前吹出口１１１から吹き出された風を側部吹出口２１に導くことができ、それにより側部吹出口２１の送風量を増大させ、ケーシングアセンブリ１００の送風効率を向上させることができる。
【００３１】
本出願のいくつかの実施例によれば、２つのエンドカバー２の一部は、それぞれフレーム１の前表面の前側に位置し、かつそれぞれフレーム１とともに補助吹出通路ａを画定し、各エンドカバー２には、対応する補助吹出通路ａと対応して連通する側部吹出口２１が設けられ、各補助吹出通路ａの内側壁の、フレーム１により画定された部分がいずれもガイド面１１２を形成する。それにより空気調和機の室内機１０００が左端と右端に同時に送風できることを確保し、ケーシングアセンブリ１００の送風効率を確保することができる。同時に、エンドカバー２の構造強度をある程度まで向上させることができ、さらにケーシングアセンブリ１００の全体強度を向上させることができる。
【００３２】
さらに、フレーム１は、フロントフレーム部１１と２つのサイドフレーム部１２を含む。
具体的には、フロントフレーム部１１には、前吹出口１１１が設けられ、２つのサイドフレーム部１２は、それぞれフロントフレーム部１１の左端と右端に設けられ、かつそれぞれ後方に延在し、フロントフレーム部１１の前表面の、前吹出口１１１の左右両端に位置する部分には、それぞれガイド面１１２が設けられている。これによって、２つのエンドカバー２の、フロントフレーム部１１の前側に位置する部分は、それぞれフロントフレーム部１１とともに補助吹出通路ａを画定することが分かる。
【００３３】
ガイド面１１２は、前吹出口１１１から離れる方向に傾斜して後方に延在し、各ガイド面１１２は、対応するサイドフレーム部１２まで延在する。２つのエンドカバー２は、２つのサイドフレーム部１２とそれぞれ一対一に対応し且つ対応するサイドフレーム部１２のフロントフレーム部１１から離れた側にそれぞれ位置し、各エンドカバー２には、前延伸部２２を有し、前延伸部２２は、対応するガイド面１１２の前側に位置し、かつガイド面１１２とともに補助吹出通路ａを画定する。すなわち、前延伸部２２は、フロントフレーム部１１とともに補助吹出通路ａを画定する。ガイド面１１２の構造配置は、ガイド面１１２の導風効果をさらに強化し、風を側部吹出口２１に導くことを確保することができ、それによりケーシングアセンブリ１００の送風効率を確保することができる。
【００３４】
具体的には、ガイド面１１２の前吹出口１１１に近接する一端は、前吹出口１１１の側壁まで延在する。それにより補助吹出通路ａの導風効果を確保することができ、エアデフレクタが閉じられているとき、前吹出口１１１における風は、補助吹出通路ａを介してスムーズに流出できることを確保することができ、それによりフロントフレーム部１１が風の流れに干渉することを避けることができる。
【００３５】
具体的には、各ガイド面１１２の上下両側には、それぞれガイド溝１１３が設けられ、各ガイド溝１１３は、左右方向に沿って延在し、各ガイド溝１１３の前吹出口１１１から離れた一端は、開放し、各前延伸部２２には、ガイド溝１１３と嵌合するガイド突起２２１が設けられている。したがって、ガイド突起２２１がガイド溝１１３内に入り込むと、ガイド突起２２１は、ガイド溝１１３の開放端に沿ってガイド溝１１３内に徐々に入り込んでガイド溝１１３と嵌合することができ、それにより前延伸部２２とフレーム１との組み立てを実現し、組み立て方法は、シンプルで、信頼性が高く、分解が容易になる。
【００３６】
任意選択的に、各ガイド面１１２の上側又は下側には、ガイド溝１１３が設けられている。すなわち、各ガイド面１１２の片側には、ガイド溝１１３が設けられている。それにより延び部２２とフレーム１との組み立てを実現できるだけでなく、ケーシングアセンブリ１００の構造をシンプルにすることもでき、これは、ケーシングアセンブリ１００の製造コストを低減するのに有利である。
【００３７】
さらに、少なくとも１つのガイド溝１１３の一端の内底壁には、ガイド斜面１１３ａが形成され、ガイド斜面１１３ａは、前吹出口１１１から離れる方向に傾斜して後方に延在する。これによって、フレーム１とエンドカバー２を組み立てる際に、ガイド斜面１１３ａは、ガイド突起２２１とガイド溝１１３との間の組み立てに案内する作用を発揮し、それによりフレーム１とエンドカバー２との間の組み立ての難易度を低減し、組み立ての効率を向上させると同時に、エンドカバー２の分解を容易にする。
【００３８】
好ましくは、各ガイド溝１１３のサイドフレーム部１２の一端に近接する内底壁には、ガイド斜面１１３ａがいずれも形成されている。それによりフレーム１とエンドカバー２の組み立て効率をさらに向上させることができ、分解は、より容易になる。
【００３９】
本出願のいくつかの実施例によれば、ガイド面１１２は、平面又は円弧面として形成される。これによって、ガイド面１１２の導風効果を確保することができると同時に、ガイド面１１２の構造をシンプルにする。
【００４０】
本出願のいくつかの実施例によれば、フレーム１とエンドカバー２のうちの一方には、係合フック３が設けられ、フレーム１とエンドカバー２のうちの他方には、係合フック３と嵌合する係合溝４が設けられている。すなわち、フレーム１に係合フック３が設けられている場合、エンドカバー２には、係合溝４が設けられている。エンドカバー２に係合フック３が設けられている場合、フレーム１には、係合溝４が設けられている。さらに、係合フック３と係合溝４の嵌合により、フレーム１とエンドカバー２の組み立てを実現することができ、且つ他の部品（ボルトやネジなど）を使用せずにフレーム１とエンドカバー２の接続と固定を実現することができる。フレーム１とエンドカバー２の組み立て方法は、シンプルで、信頼性が高く、それによりエンドカバー２の組み立て効率を向上させ、ケーシングアセンブリ１００の取り付け手順を簡略化し、メインテナンスと分解を容易にすることができる。
【００４１】
さらに、係合フック３は、複数であり、係合溝４は、複数であり、かつ複数の係合フック３と一対一に対応している。したがって、フレーム１とエンドカバー２の接続強度を向上させ、フレーム１とエンドカバー２をより密接に嵌合させ、フレーム１とエンドカバー２の組み立ての信頼性と安定性を確保することができ、それによりケーシングアセンブリ１００の信頼性と安定性を向上させ、空気調和機の室内機１０００の運転中にエンドカバー２とフレーム１との間の揺れを防止することができるので、空気調和機の室内機１０００の運転中に発生する騒音を低減し、ユーザーが使用する時の快適性を向上させることができる。
【００４２】
具体的には、フレーム１には、係合フック３と係合溝４が設けられ、各エンドカバー２には、係合フック３と係合溝４が設けられ、係合フック３は、複数であり、係合溝４は、複数であり、かつ複数の係合フック３と一対一に対応している。それによりフレーム１とエンドカバー２の組み立ては、より容易になり、フレーム１とエンドカバー２の組み立ては、より柔軟になる。
【００４３】
ケーシングアセンブリ１００は、吹出用グリッド５をさらに含み、吹出用グリッド５は、側部吹出口２１に設けられている。したがって、ケーシングアセンブリ１００の外部からの塵埃などの不純物が側部吹出口２１を介してケーシングアセンブリ１００の内部に侵入して空気調和機の室内機１０００の通常運転に影響を及ぼすことをある程度まで防止し、ユーザーが空気調和機の室内機１０００を清掃する頻度を減らすことができる。同時に、吹出用グリッド５は、一定の導風作用をさらに有する。
【００４４】
さらに、吹出用グリッド５は、複数のサブグリッド５１を含み、近接する２つのサブグリッド５１は、少なくとも部分的に離れている。さらに、風が側部吹出口２１を介して排出できることが確保され、ケーシングアセンブリ１００の信頼性を確保することができる。
【００４５】
具体的には、複数のサブグリッド５１の両端の端部は、それぞれ対応して繋がっている。それにより風が側部吹出口２１を介して排出されることが可能なことを確保できると同時に、吹出用グリッド５の構造をシンプルにする。
【００４６】
任意選択的に、吹出用グリッド５は、一体成型された部品である。それによりケーシングアセンブリ１００の生産効率を向上させ、ケーシングアセンブリ１００の取り付けプロセスを簡略化するのに有利である。
【００４７】
任意選択的に、各サブグリッド５１は、「Ｓ」形状に形成される。それによりケーシングアセンブリ１００の外観上の美観を向上させることができる。
【００４８】
本出願の実施例に係る空気調和機の室内機１０００は、上記ケーシングアセンブリ１００を含む。
【００４９】
本出願の実施例に係る空気調和機の室内機１０００には、本出願の上記実施例に係るケーシングアセンブリ１００が設けられることにより、空気調和機の室内機１０００の送風量を増大させ、空気調和機の室内機１０００の送風効率を向上させることができる。
【００５０】
本出願の実施例に係る空気調和機の室内機１０００の他の構成と操作は、当業者に知られているので、ここでは詳細に説明しない。
【００５１】
本明細書の説明において、用語「一実施例」、「いくつかの実施例」、「例示的な実施例」、「例」、「具体的な例」、又は「いくつかの例」などを参照した説明は、該実施例又は例を結合して説明した具体的な特徴、構造、材料又は特性が本出願の少なくとも１つの実施例又は例に含まれることを意味する。本明細書において、上記用語に対する例示的な説明は、必ずしも同じ実施例又は例を意味するものではない。さらに、説明された具体的な特徴、構造、材料又は特性は、任意の１つ又は複数の実施例又は例において適切な方法で結合されることができる。
【００５２】
本出願の実施例をすでに示して説明したが、当業者は、本出願の原理と趣旨から逸脱することなく、これらの実施例に対して種々な変更、修正、置換及び変形を行うことが可能なことを理解することができる。本出願の範囲は、特許請求の範囲及びその同等物によって定義される。
【符号の説明】
【００５３】
１０００  空気調和機の室内機
１００  ケーシングアセンブリ
１  フレーム
１１  フロントフレーム部
１１１  前吹出口
１１２  ガイド面
１１３  ガイド溝
１１３ａ  ガイド斜面
１２  サイドフレーム部
ａ  補助吹出通路
２  エンドカバー
２１  側部吹出口
２２  前延伸部
２２１  ガイド突起
３  係合フック
４  係合溝
５  吹出用グリッド
５１  サブグリッド
【図１】
2020517892.tif 000003
【図２】
2020517892.tif 000004
【図３】
2020517892.tif 000005
【図４】
2020517892.tif 000006
【図５】
2020517892.tif 000007
【国際調査報告】
2020517892.tif 000008
2020517892.tif 000009
2020517892.tif 000010
2020517892.tif 000011
2020517892.tif 000012